(57)【要約】【課題】  望ましくない電磁場の形成を防止するロー・パス・フィルタ（１７）を備えることができる街灯柱（２）を開示する。【解決手段】  ロー・パス・フィルタは、第１信号（１１）を通過させ、第２信号（１２）が街灯柱（２）内部に進入するのを防止する。第１信号（１１）は、電力線（１０）を通じて街灯柱（１、２）に給送される電力信号とすることができる。第２信号（１２）は、電力線（１０）を通じて、１つ以上の街灯柱（１）内にある電気通信機器（７）に給送される電気通信信号、または電気通信機器（７）から給送される電気通信信号とすることができる。第２ヒューズ（８’）はロー・パス・フィルタ（１７）を備えることができる。また、第２ヒューズ（８’）はスイッチ（１８）も備えることができ、これによってロー・パス・フィルタ（１７）を活性化および不活性化することができる。【選択図】      図３
2008520072.tif 000002
【特許請求の範囲】
【請求項１】
照明設備（９）と、ケーブル区間（１３）とを備え、ケーブル区間（１３）を通じて前記照明設備（９）に第１信号（１１）によって給電する街灯柱（２）であって、該街灯柱（２）は、電力線（１０）に接続し、電力線（１０）を通じて前記第１信号（１１）および第２信号（１２）を前記街灯柱（２）に供給するのに適しており、ケーブル区間（１３）を通じて前記第２信号（１２）が前記照明設備（９）に供給されるのを防止するロー・パス・フィルタ（１７）を備えている、街灯柱（２）。
【請求項２】
請求項１記載の街灯柱（２）において、前記ロー・パス・フィルタ（１７）に対して直列とした第１ヒューズ（８）を備えている、街灯柱（２）。
【請求項３】
請求項１記載の街灯柱（２）において、前記ロー・パス・フィルタ（１７）は、第２ヒューズ（８’）を備えており、該第２ヒューズ（８’）は安全ワイヤ（１９）を備えている、街灯柱（２）。
【請求項４】
請求項３記載の街灯柱（２）において、前記第２ヒューズ（８’）は、前記ロー・パス・フィルタ（１７）を活性化および不活性化するスイッチ（１８）を備えている、街灯柱（２）。
【請求項５】
請求項１から４のいずれかに記載の街灯柱（２）において、前記第２信号（１２）は電気通信信号である、街灯柱（２）。
【請求項６】
街灯柱（２）に用いるのに適している第２ヒューズ（８’）であって、ロー・パス・フィルタ（１７）を備えている、第２ヒューズ（８’）。
【請求項７】
請求項６記載の第２ヒューズ（８’）において、該第２ヒューズ（８’）は、前記ロー・パス・フィルタ（１７）を活性化および不活性化するスイッチ（１８）を備えている、第２ヒューズ（８’）。
【請求項８】
街灯柱（２）におけるロー・パス・フィルタ（１７）の使用。
【発明の詳細な説明】
【技術分野】
【０００１】
本発明は、街灯柱、ヒューズ、および電気通信信号を給送するために電力線が用いられる場所に設置されている公衆設備に対するヒューズの使用に関する。
【背景技術】
【０００２】
能動電気通信機器および受動電気通信機器を内蔵するための街灯柱のような公衆設備の使用に対して開発が行われている。能動電気通信機器および受動電気通信機器は、固定ネットワークまたは移動ネットワークのような電気通信（アクセス）インフラストラクチャの一部である。公衆設備を街灯柱とすると、電気通信機器を収容することができる。何故なら、街灯柱は中空であるからであり、更に街灯柱において電力を利用可能にすることができるからである。また、信号機のような、他の種類の公衆設備および設置物も、本開示において記載するように用いることができる。この手法の利点は、既存の空間を用いること、そして新たな空間を作り出す必要がないことである。また、（例えば、路上における）掘削活動や、新たなキャビネット等の設置も不要となる。
【０００３】
公衆設備を使用する利点は、街灯柱の照明設備のために電源が既に備わっていることである。この電源は、街灯柱内に配置した能動電気通信機器に給電するためにも用いることができる。しかしながら、何らかの追加設備、例えば、街灯柱内の照明設備のスイッチが切られている日中の間、電気通信機器への電力供給を可能にするための設備が必要となる可能性もある。
【０００４】
電力線上における電気通信信号の給送は既知の概念である。電気通信信号（第２信号）の帯域幅（ｋＨｚ−ＭＨｚ−ＧＨｚ）は、多くの場合、電力信号（第１信号）の帯域幅（１〜１００Ｈｚ）とはかなり異なる。
【０００５】
電気通信機器を収容するために街灯柱を用いるという概念は、ある区域において、一部の街灯柱は電気通信機器を内蔵し、一方他の街灯柱は電気通信機器を内蔵しないというように応用することができる。言い換えると、２種類の街灯柱、即ち、電気通信機器を内蔵した街灯柱、および電気通信機器がない街灯柱があり得る。第２信号は、電気通信機器を内蔵した街灯柱のみに関与することができ、一方第１信号は双方の種類の街灯柱に関与する。
【０００６】
街灯柱は、給電設備によって互いに接続されているので、問題が発生する可能性がある。第２信号は、電気通信機器を内蔵する街灯柱だけでなく、電気通信機器がない街灯柱にも進入する。電気通信機器のない街灯柱に第２信号が進入すると、この結果、あらゆる種類の電磁効果が発生するおそれがある。例えば、街灯柱が第２信号を受信するとアンテナとして振る舞うので、街灯柱が電磁場を発生するおそがある。一般に、多くの街灯柱には電気通信機器がない可能性が高く、一方電気通信設備を内蔵する街灯柱の数は少ない可能性が高いので、望ましくない効果が重大となる可能性がある。電磁場のような場は、他の街灯柱における電気通信機器に給送される第２信号およびこれらから給送されてくる第２信号と干渉する可能性がある。その結果、街灯柱内の電気通信機器が属する電気通信インフラストラクチャが提供する品質が低下する。
【発明の開示】
【発明が解決しようとする課題】
【０００７】
本発明の目的は、従来技術の欠点を解消し、電気通信機器が内蔵されていない街灯柱に第２信号が進入するのを避けるための効率的な概念を提供することである。
【課題を解決するための手段】
【０００８】
本発明によれば、電力線を用いて電気通信信号を給送する場所に設置された公衆設備に対して、街灯柱、ヒューズ、およびヒューズの用法を開示する。本発明による街灯柱は、
照明設備と、ケーブル区間とを備え、ケーブル区間を通じて照明設備に第１信号によって給電し、街灯柱は、電力線に接続し、電力線を通じて第１信号および第２信号を街灯柱に供給するのに適しており、街灯柱は、ケーブル区間を通じて第２信号が前記照明設備に供給されるのを防止するロー・パス・フィルタを備えている。
【０００９】
本発明の第１の態様では、街灯柱はロー・パス・フィルタを備えている。一般に、街灯柱は電力線に接続されており、電力線を通じて電力が街灯柱内にある照明設備に供給される。この電力線を、電気通信信号の給送にも用いることができる。この状況では、電力線を通じて２つの信号を給送する。即ち、街灯柱内にある照明設備に給電する第１信号、および電気通信信号である第２信号である。電気通信機器が１つ以上の街灯柱内にある場合、街灯柱に対して電気通信信号を給送する必要性が存在する可能性がある。既存のインフラストラクチャを用いるので、電気通信信号の給送のために電力線を用いるのは効率的である。街灯柱に備えられているロー・パス・フィルタは、高周波信号が通過するのを防止する。第２信号は第１信号よりも周波数が高いので、第２信号はロー・パス・フィルタを通過できない。街灯柱におけるロー・パス・フィルタの位置に応じて、第２信号は更に街灯柱内部に進入することはできない。ロー・パス・フィルタと照明設備との間にあるケーブル区間は、第１信号のみを給送し、第２信号を給送しない。その結果、第２信号がこのケーブル区間上を給送されないので、電磁場が生じないという利点がある。街灯柱内に第１ヒューズがある場合、ロー・パス・フィルタをこの第１ヒューズに対して直列にすることができる。
【００１０】
本発明の別の態様では、第２ヒューズがロー・パス・フィルタを備えることができる。これの利点は、ロー・パス・フィルタのない第１ヒューズを、ロー・パス・フィルタを備えている第２フィルタと容易に交換できることである。一般に、街灯柱におけるヒューズには、ヒューズ・ボックス・ハッチを介して達することができる。第１ヒューズの交換が必要となり得るのは、当初は第１信号のみの給送に電力線を用い、その後、第１信号および第２信号双方の給送に電力線を用い始める場合である。
【００１１】
また、第２ヒューズはスイッチも備えることができる。このスイッチにより、第２ヒューズに備えられているロー・パス・フィルタを活性化および不活性化することができる。これによって、電力線を第２信号の給送には用いない場合であっても、ロー・パス・フィルタを備えている第２ヒューズを用いることが可能となる。この際、ルー・パス・フィルタをオフに切り換える。後の時点において、第１信号および第２信号双方を給送するために電力線を用いる場合、ロー・パス・フィルタをオンに切り換えれば済む。
【００１２】
本発明の前述の態様および付随する利点の多くは、以下の詳細な説明を、添付図面と関連付けて参照することにより、一層良く理解されよう。
【発明を実施するための最良の形態】
【００１３】
次に、本発明を教示する目的のために、本発明の方法および装置の好適な実施形態について説明する。尚、本発明のその他の代替実施形態および等価実施形態も着想可能であり、本発明の真の趣旨から逸脱することなく、実用化することができ、本発明の範囲は、最終的に付与される際における、添付した特許請求の範囲によってのみ限定されることは、当業者には明白であろう。
【００１４】
図１は、タイプ１の街灯柱（１）が電気通信機器（７）を内蔵し、タイプ２の他の街灯柱（２）が電気通信機器（７）を内蔵していない構成の概念図を示す。電気通信機器（７）は、通信ゲートウェイ設備（４）を介して、通信ネットワーク（６）に接続されている。電気通信機器（７）は、例えば、移動通信の目的のための機器とすることができる。このような場合、ユーザは、例えば、街灯柱（１）の周囲にいるときに、彼らの移動デバイスを用いることができる。電気通信機器（７）は、特定の種類の機器に限定されるのではなく、通信インフラストラクチャを構成する機器であればいずれでも可能である。電力線（１０）は、街灯柱（１）および（２）にある照明設備（９）のために、街灯柱（１）および街灯柱（２）に電力を供給する。この目的のために、第１信号（１１）を電力線（１０）上で給送する。第１信号（１１）は電源（３）から発している。電源（３）は、例えば、街灯柱（１、２）が位置する道路内またはその近くに位置する電力キャビネット(power cabinet)とすることができる。第１信号（１１）は、例えば、１ｋＨｚまでの帯域幅における比較的低周波の電力電圧信号とすることができる。また、通信ネットワーク（６）から発するかまたはこれに給送される第２信号（１２）もある。第２信号（１２）は、電力線（１０）上で電気通信機器（７）に給送することができる。第２信号（１２）は、例えば、ＩＰトラフィックおよびＡＴＭトラフィックに関するような、電気通信またはデータ通信信号であればいずれの種類でも可能である（シグナリング信号を除外しない）。第２信号（１２）の本質または特性に関しては、制限はない。一般に、第１信号（１１）は第２信号（１２）よりも電圧が高い。言い換えると、第１信号（１１）の電圧は、照明設備（９）を活性化するために、あるレベルよりも高くなければならない。通信ゲートウェイ設備（４）によって、通信ネットワーク（６）を電力線（１０）に接続することが可能になる。通信ゲートウェイ設備（４）が必要となる場合があり得るのは、通信ネットワーク（６）は、一般に、高電圧線上における電気通信またはデータ通信信号の給送を可能にする設備を備えていないからである。第２信号（１２）は、一方向でも双方向でも可能である。
【００１５】
タイプ２の街灯柱（２）は、電気通信機器（７）を備えておらず、通常通りに、即ち、照明の目的で用いられる。街灯柱内またはその近くには、短絡が発生するのを防止するために、第１ヒューズ（８）が配置されている。第１ヒューズ（８）は、あるアンペア・レベルよりも高い電流が街灯柱（２）に供給されたときに、照明設備（９）を切り離すように構築されている。この目的のために、第１ヒューズ（８）によって安全ワイヤ(safety wire)を構成するとよい。しかしながら、通常動作では、第１ヒューズ（８）は第２信号（１２）および第１信号（１１）の双方を通す。双方の信号は、ケーブル区間（１３）を介して、第１ヒューズ（８）の位置と照明設備（９）の位置との間で給送されるが、第１信号（１１）のみをそのケーブル区間（１３）上で給送することが望ましい。ケーブル区間（１３）上では、第２信号（１２）は電磁場を発生する可能性があり、電気通信機器（７）の動作性能を低下させる。例えば、有線信号（第２信号（１２））または無線信号を、電気通信機器（７）を用いて近隣の街灯柱（１）から送出すると、電磁場の結果、干渉する可能性がある。発生した電磁場は、電気通信機器（７）の誤動作の原因にもなり得る。更に、発生した電磁波は、街灯柱（１）に送られる他の信号とも干渉するおそれがある。この他の信号は、有線信号（第２信号（１２））または無線信号とすることができる。また、発生した電磁場は、他の種類の信号、例えば、移動ユーザのエンド・ユーザ・デバイスと基地局との間の信号と干渉するおそれもある。この干渉は、例えば、移動電話で通話中に、移動ユーザが街灯柱（２）の近くにいる場合に発生するおそれがある。
【００１６】
図２は、街灯柱（２）の図を示す。高さや用いられている材料のような、街灯柱（２）の物理的特性に応じて、以前に述べた問題が発生する程度は上下する場合もある。例えば、街灯柱（２）が主に金属で作られている場合、街灯柱（２）の外側における電磁場の強さは、ケーブル区間（１３）上における第２信号（１２）の給送の結果、街灯柱（２）が主に合成材料で作られている場合よりも低下する可能性がある。多くの場合、ヒューズ・ボックス・ハッチ（１４）があり、これを介してヒューズ（８）に達することができる。ケーブル入口（１５）を通って、電力線（１０）が街灯柱（２）に進入する。更に、街灯柱（２）の一部である地下電柱部（１６）がある。
【００１７】
図３は、ロー・パス・フィルタ（１７）および安全ワイヤ（１９）を内蔵する第２ヒューズ（８’）を示す。安全ワイヤ（１９）は、それを流れる電流がある電流レベルよりも高くなると溶融する。ロー・パス・フィルタ（１７）は、高周波信号を濾波するが、低周波信号を通過させる。その結果、第１信号（１１）は第２ヒューズ（８’）を通過するが、第２信号（１２）はケーブル区間（１３）に到達することがでない。ロー・パス・フィルタ（１７）を作成する技法は、周知の技法である。第２ヒューズ（８’）を用いることの利点は、第２信号（１２）がケーブル区間（１３）に到達しないようにするため、つまり望ましくない電磁効果がもはや発生しないという利点を得るためには、単に第１ヒューズ（８）を第２ヒューズ（８’）と置き換えればよいことである。本発明の一実施形態（図３に示す）では、第２ヒューズ（８’）は、ロー・パス・フィルタ（１７）をスイッチ（１８）によってオンおよびオフに切り換えることができるように構築するとよい。本実施形態の利点は、ロー・パス・フィルタがオンに切り替わっている間、第２ヒューズ（８’）が街灯柱（２）内に実装できることである。後の時点において電気通信機器（７）を内蔵するために街灯柱を用いる場合、別の種類のヒューズを実装する必要がなく、第２ヒューズ（８’）のロー・パス・フィルタをオフに切り換えるだけで済む。しかしながら、スイッチ（１８）を用いないことも可能な場合がある。更に、ロー・パス・フィルタ（１７）は、ヒューズ（８）の外側に配置することもできる。この場合、第２ヒューズ（８’）の代わりに、第１ヒューズ（８）を用い、ロー・パス・フィルタ（１７）に対して直列にする。第１ヒューズ（８）およびロー・パス・フィルタ（１７）は、ヒューズ・ボックス・ハッチ（１４）を介して達することができる。
【図面の簡単な説明】
【００１８】
【図１】図１は、電気通信インフラストラクチャの能動ネットワーク・エレメントおよび受動ネットワーク・エレメントを内蔵するために街灯柱（１、２）を用いる概念を示すブロック図である。
【図２】図２は、電気通信機器を内蔵するように構成されていない通常の街灯柱（２）を更に詳細に示す。
【図３】図３は、第２信号（１２）が更に街灯柱（２）に進入するのを回避するのに適するように構成された第２ヒューズ（８’）を示す。
【図１】
2008520072.tif 000003
【図２】
2008520072.tif 000004
【図３】
2008520072.tif 000005
【国際調査報告】
2008520072.tif 000006
2008520072.tif 000007
2008520072.tif 000008